(57)【要約】【課題】短時間で適正な記録条件を設定する。【解決手段】ディスクレコーダ１００のＤＳＰ３２は、光ディスク（ＤＶＤ−Ｒ）２に格納された製造元及び光ディスクの型式を識別する情報である型式識別情報を取得する識別情報取得部３２１と、予め複数の型式識別情報を格納する型式記憶部３２６と、取得された型式識別情報が型式記憶部３２６に格納された複数の型式識別情報のいずれかと一致するか否かを判定する型式判定部３２２と、一致しないと判定された場合に光ディスク２に格納されたストラテジパラメータを取得するパラメータ取得部３２３と、取得されたストラテジパラメータを補正するパラメータ補正部３２４と、補正されたストラテジパラメータに基づいて光ディスク２の記録条件を設定する記録条件設定部３２５と、を備えている。【選択図】図２
2008181625.tif 000002
【特許請求の範囲】
【請求項１】
１のＤＶＤ−Ｒに、光ピックアップからのレーザ光を照射して、情報を記録する光ディスク記録装置であって、
前記１のＤＶＤ−Ｒに格納された製造元及びＤＶＤ−Ｒの型式を識別する情報である型式識別情報を読み取って取得する識別情報取得手段と、
予め他の複数の製造元及び型式のＤＶＤ−Ｒに対応する型式識別情報を格納する型式記憶手段と、
前記型式記憶手段に格納された他の複数の製造元及び型式のＤＶＤ−Ｒに対応する型式識別情報毎に、予め設定され、記録条件を規定するストラテジパラメータを対応付けて格納するパラメータ記憶手段と、
前記識別情報取得手段によって取得された型式識別情報が、前記型式記憶手段に格納された他の複数の製造元及び型式のＤＶＤ−Ｒに対応する型式識別情報のいずれかと一致するか否かを判定する型式判定手段と、
前記型式判定手段によって一致しないと判定された場合に、前記１のＤＶＤ−Ｒに格納され、製造元が推奨するストラテジパラメータを読み取って取得するパラメータ取得手段と、
前記型式記憶手段に格納された他の複数の製造元及び型式のＤＶＤ−Ｒに対応する各型式識別情報に対応し、前記パラメータ記憶手段に格納された各ストラテジパラメータと、前記型式記憶手段に格納された各型式識別情報に対応する他のＤＶＤ−Ｒが装着された場合に、前記パラメータ取得手段によって取得されるストラテジパラメータと、に基づいて、前記パラメータ取得手段によって取得された前記１のＤＶＤ−Ｒに対応するストラテジパラメータを補正するパラメータ補正手段と、
前記パラメータ補正手段によって補正されたストラテジパラメータに基づいて前記１のＤＶＤ−Ｒの記録条件を設定する記録条件設定手段と、
を備え、
前記記録条件設定手段は、前記型式判定手段によって一致すると判定された場合に、一致すると判定された型式識別情報に対応するストラテジパラメータを前記パラメータ記憶手段から読み出して、読み出されたストラテジパラメータに基づいて記録条件を設定し、
ストラテジパラメータは、光ピックアップのレーザ光のパワー及び記録信号の非対称性を示すβ値を含み、
前記パラメータ補正手段は、前記パラメータ取得手段によって取得されたレーザ光のパワーに予め設定された所定のオフセット値を加算することにより補正すると共に、前記パラメータ取得手段によって取得されたβ値に予め設定された所定のオフセット値を加算することにより補正することを特徴とする光ディスク記録装置。
【請求項２】
１の光ディスクに、光ピックアップからのレーザ光を照射して、情報を記録する光ディスク記録装置であって、
前記１の光ディスクに格納された製造元及び光ディスクの型式を識別する情報である型式識別情報を読み取って取得する識別情報取得手段と、
予め他の複数の製造元及び型式の光ディスクに対応する型式識別情報を格納する型式記憶手段と、
前記識別情報取得手段によって取得された型式識別情報が、前記型式記憶手段に格納された他の複数の製造元及び型式の光ディスクに対応する型式識別情報のいずれかと一致するか否かを判定する型式判定手段と、
前記型式判定手段によって一致しないと判定された場合に、前記１の光ディスクに格納され、製造元が推奨する記録条件を規定するストラテジパラメータを読み取って取得するパラメータ取得手段と、
前記パラメータ取得手段によって取得されたストラテジパラメータを補正するパラメータ補正手段と、
前記パラメータ補正手段によって補正されたストラテジパラメータに基づいて前記１の光ディスクの記録条件を設定する記録条件設定手段と、
を備えることを特徴とする光ディスク記録装置。
【請求項３】
前記型式記憶手段に格納された他の複数の製造元及び型式の光ディスクに対応する型式識別情報毎に、予め設定されたストラテジパラメータを対応付けて格納するパラメータ記憶手段を備え、
前記記録条件設定手段は、前記型式判定手段によって一致すると判定された場合に、一致すると判定された型式識別情報に対応するストラテジパラメータを前記パラメータ記憶手段から読み出して、読み出されたストラテジパラメータに基づいて記録条件を設定することを特徴とする請求項２に記載の光ディスク記録装置。
【請求項４】
前記パラメータ補正手段は、前記型式記憶手段に格納された他の複数の製造元及び型式の光ディスクに対応する各型式識別情報に対応し、前記パラメータ記憶手段に格納された各ストラテジパラメータと、前記型式記憶手段に格納された各型式識別情報に対応する他の光ディスクが装着された場合に、前記パラメータ取得手段によって取得されるストラテジパラメータと、に基づいて、前記１の光ディスクに対応するストラテジパラメータを補正することを特徴とする請求項２又は請求項３に記載の光ディスク記録装置。
【請求項５】
前記光ディスクは、ＤＶＤ−Ｒであって、
ストラテジパラメータは、光ピックアップのレーザ光のパワーを含み、
前記パラメータ補正手段は、前記パラメータ取得手段によって取得されたレーザ光のパワーに予め設定された所定のオフセット値を加算することにより補正することを特徴とする請求項４に記載の光ディスク記録装置。
【請求項６】
ストラテジパラメータは、記録信号の非対称性を示すβ値を含み、
前記パラメータ補正手段は、前記パラメータ取得手段によって取得されたβ値に予め設定された所定のオフセット値を加算することにより補正することを特徴とする請求項５に記載の光ディスク記録装置。
【発明の詳細な説明】
【技術分野】
【０００１】
本発明は、光ディスクに、光ピックアップからのレーザ光を照射して、情報を記録する光ディスク記録装置に関する。
【背景技術】
【０００２】
ＤＶＤ（Ｄｉｇｉｔａｌ  Ｖｅｒｓａｔｉｌｅ  Ｄｉｓｋ）等の光ディスクに、光ピックアップからのレーザ光を照射して、情報を記録するＤＶＤレコーダ等の光ディスク記録装置において、光ディスクへの記録動作は光学式ピックアップから照射されるレーザ光によって行われる。ここで、光ディスク上に、規格に合致したピット等を形成するためには、光ピックアップに配設されたＬＤ（Ｌａｓｅｒ  Ｄｉｏｄｅ）に供給するパルス信号の幅、間隔及びレベルを正確に設定する必要がある。
【０００３】
上記設定は、従来、光ディスクの製造元から供給される設定情報（以下、「ストラテジ情報」という）に基づいて設定している。すなわち、ストラテジ情報は、光ディスクの所定の位置（＝内周側）に設定された領域（＝ＰＦＩ（Ｐｈｙｓｉｃａｌ  Ｆｏｒｍａｔ  Ｉｎｆｏｒｍａｔｉｏｎ）領域）に、該光ディスクの製造元及び型式を識別する情報であるＭＩＤ（Ｍａｎｕｆａｃｔｕｒｅ  ＩＤｅｎｔｉｆｉｅｒ）と対応付けて格納されている。そして、ＤＶＤレコーダ等の光ディスク記録装置は、光ディスクに格納されたストラテジ情報を読み出して、読み出されたストラテジ情報に基づいて記録条件を設定して、記録動作を行っている。
【０００４】
しかし、ＤＶＤレコーダ等の光ディスク記録装置は、装置毎にピックアップ等における固有の特性を有するため、光ディスクの製造元から供給されるストラテジ情報に従って記録条件を設定した場合には、適正な条件で記録を行えない場合がある。この課題を解消するために種々の装置、方法が提案されている。例えば、異なる条件でテストデータを記録する際に、照射エネルギが同一となるように記録パワーを変化させて記録し、ジッタ量が最小となる条件を適正条件とする光ディスク装置が開示されている（特許文献１参照）。
【特許文献１】特開２００６−３２３８８４号公報
【発明の開示】
【発明が解決しようとする課題】
【０００５】
しかしながら、上記の光ディスク装置では、複数の条件で記録して、適正条件を探索するため、適正な記録条件を設定するために比較的長い時間を要し、且つ、光ディスクに予め設定されたテストデータを記録する領域（以下、「テストエリア」という）が消費される。
【０００６】
上記の課題に鑑みて、本発明は、短時間で適正な記録条件を設定することの可能な光ディスク記録装置を提供することを目的としている。
【課題を解決するための手段】
【０００７】
上記目的を達成するために請求項１に記載の光ディスク記録装置は、１のＤＶＤ−Ｒに、光ピックアップからのレーザ光を照射して、情報を記録する光ディスク記録装置であって、前記１のＤＶＤ−Ｒに格納された製造元及びＤＶＤ−Ｒの型式を識別する情報である型式識別情報を読み取って取得する識別情報取得手段と、予め他の複数の製造元及び型式のＤＶＤ−Ｒに対応する型式識別情報を格納する型式記憶手段と、前記型式記憶手段に格納された他の複数の製造元及び型式のＤＶＤ−Ｒに対応する型式識別情報毎に、予め設定され、記録条件を規定するストラテジパラメータを対応付けて格納するパラメータ記憶手段と、前記識別情報取得手段によって取得された型式識別情報が、前記型式記憶手段に格納された他の複数の製造元及び型式のＤＶＤ−Ｒに対応する型式識別情報のいずれかと一致するか否かを判定する型式判定手段と、前記型式判定手段によって一致しないと判定された場合に、前記１のＤＶＤ−Ｒに格納され、製造元が推奨するストラテジパラメータを読み取って取得するパラメータ取得手段と、前記型式記憶手段に格納された他の複数の製造元及び型式のＤＶＤ−Ｒに対応する各型式識別情報に対応し、前記パラメータ記憶手段に格納された各ストラテジパラメータと、前記型式記憶手段に格納された各型式識別情報に対応する他のＤＶＤ−Ｒが装着された場合に、前記パラメータ取得手段によって取得されるストラテジパラメータと、に基づいて、前記パラメータ取得手段によって取得された前記１のＤＶＤ−Ｒに対応するストラテジパラメータを補正するパラメータ補正手段と、前記パラメータ補正手段によって補正されたストラテジパラメータに基づいて前記１のＤＶＤ−Ｒの記録条件を設定する記録条件設定手段と、を備え、前記記録条件設定手段が、前記型式判定手段によって一致すると判定された場合に、一致すると判定された型式識別情報に対応するストラテジパラメータを前記パラメータ記憶手段から読み出して、読み出されたストラテジパラメータに基づいて記録条件を設定し、ストラテジパラメータが、光ピックアップのレーザ光のパワー及び記録信号の非対称性を示すβ値を含み、前記パラメータ補正手段が、前記パラメータ取得手段によって取得されたレーザ光のパワーに予め設定された所定のオフセット値を加算することにより補正すると共に、前記パラメータ取得手段によって取得されたβ値に予め設定された所定のオフセット値を加算することにより補正することを特徴としている。
【０００８】
請求項２に記載の光ディスク記録装置は、１の光ディスクに、光ピックアップからのレーザ光を照射して、情報を記録する光ディスク記録装置であって、前記１の光ディスクに格納された製造元及び光ディスクの型式を識別する情報である型式識別情報を読み取って取得する識別情報取得手段と、予め他の複数の製造元及び型式の光ディスクに対応する型式識別情報を格納する型式記憶手段と、前記識別情報取得手段によって取得された型式識別情報が、前記型式記憶手段に格納された他の複数の製造元及び型式の光ディスクに対応する型式識別情報のいずれかと一致するか否かを判定する型式判定手段と、前記型式判定手段によって一致しないと判定された場合に、前記１の光ディスクに格納され、製造元が推奨する記録条件を規定するストラテジパラメータを読み取って取得するパラメータ取得手段と、前記パラメータ取得手段によって取得されたストラテジパラメータを補正するパラメータ補正手段と、前記パラメータ補正手段によって補正されたストラテジパラメータに基づいて前記１の光ディスクの記録条件を設定する記録条件設定手段と、を備えることを特徴としている。
【０００９】
請求項３に記載の光ディスク記録装置は、請求項２に記載の光ディスク記録装置であって、前記型式記憶手段に格納された他の複数の製造元及び型式の光ディスクに対応する型式識別情報毎に、予め設定されたストラテジパラメータを対応付けて格納するパラメータ記憶手段を備え、前記記録条件設定手段が、前記型式判定手段によって一致すると判定された場合に、一致すると判定された型式識別情報に対応するストラテジパラメータを前記パラメータ記憶手段から読み出して、読み出されたストラテジパラメータに基づいて記録条件を設定することを特徴としている。
【００１０】
請求項４に記載の光ディスク記録装置は、請求項２又は請求項３に記載の光ディスク記録装置であって、前記パラメータ補正手段が、前記型式記憶手段に格納された他の複数の製造元及び型式の光ディスクに対応する各型式識別情報に対応し、前記パラメータ記憶手段に格納された各ストラテジパラメータと、前記型式記憶手段に格納された各型式識別情報に対応する他の光ディスクが装着された場合に、前記パラメータ取得手段によって取得されるストラテジパラメータと、に基づいて、前記１の光ディスクに対応するストラテジパラメータを補正することを特徴としている。
【００１１】
請求項５に記載の光ディスク記録装置は、請求項４に記載の光ディスク記録装置であって、前記光ディスクが、ＤＶＤ−Ｒであって、ストラテジパラメータが、光ピックアップのレーザ光のパワーを含み、前記パラメータ補正手段が、前記パラメータ取得手段によって取得されたレーザ光のパワーに予め設定された所定のオフセット値を加算することにより補正することを特徴としている。
【００１２】
請求項６に記載の光ディスク記録装置は、請求項５に記載の光ディスク記録装置であって、ストラテジパラメータが、記録信号の非対称性を示すβ値を含み、前記パラメータ補正手段は、前記パラメータ取得手段によって取得されたβ値に予め設定された所定のオフセット値を加算することにより補正することを特徴としている。
【発明の効果】
【００１３】
請求項１に記載の光ディスク記録装置によれば、１のＤＶＤ−Ｒに格納された製造元及びＤＶＤ−Ｒの型式を識別する情報である型式識別情報が読み取られて取得される。また、型式記憶手段に、予め他の複数の製造元及び型式のＤＶＤ−Ｒに対応する型式識別情報が格納されており、取得された型式識別情報が、型式記憶手段に格納された他の複数の製造元及び型式のＤＶＤ−Ｒに対応する型式識別情報のいずれかと一致するか否かが判定される。そして、一致しないと判定された場合に、１のＤＶＤ−Ｒに格納され、製造元が推奨する記録条件を規定するストラテジパラメータが読み取られて取得され、取得されたストラテジパラメータが補正され、補正されたストラテジパラメータに基づいて１のＤＶＤ−Ｒの記録条件が設定されるため、短時間で適正な記録条件を設定することができる。
【００１４】
すなわち、製造元が推奨する記録条件を規定するストラテジパラメータが補正され、補正されたストラテジパラメータに基づいて記録条件が設定されるため、テストエリアへのテストデータを記録することなく記録条件が設定されると共に、製造元が推奨するストラテジパラメータが適正な値に補正されて設定されるので、短時間で適正な記録条件を設定することができるのである。
【００１５】
また、型式記憶手段に格納された他の複数の製造元及び型式のＤＶＤ−Ｒに対応する型式識別情報毎に、予め設定されたストラテジパラメータが対応付けてパラメータ記憶手段に格納されており、型式記憶手段に格納された他の複数の製造元及び型式のＤＶＤ−Ｒに対応する型式識別情報のいずれかと一致すると判定された場合に、一致すると判定された型式識別情報に対応するストラテジパラメータがパラメータ記憶手段から読み出されて、読み出されたストラテジパラメータに基づいて記録条件が設定されるため、更に短時間で適正な記録条件を設定することができる。
【００１６】
すなわち、光ディスク記録装置を製造する時点で使用されることが想定されるＤＶＤ−Ｒ（＝型式記憶手段に格納された他の複数の製造元及び型式のＤＶＤ−Ｒに相当する）については、適正な記録条件をテストライト等の方法によって探索して、記録条件を規定するストラテジパラメータを予めパラメータ記憶手段に格納しておくことによって、ストラテジパラメータがパラメータ記憶手段から読み出されて、読み出されたストラテジパラメータに基づいて記録条件が設定されるので、更に短時間で適正な記録条件を設定することができるのである。
【００１７】
更に、型式記憶手段に格納された他の複数の製造元及び型式のＤＶＤ−Ｒに対応する各型式識別情報に対応し、パラメータ記憶手段に格納された各ストラテジパラメータと、型式記憶手段に格納された各型式識別情報に対応する他のＤＶＤ−Ｒが装着された場合に、取得されるストラテジパラメータと、に基づいて、１のＤＶＤ−Ｒに対応するストラテジパラメータが補正されるため、更に適正な記録条件を設定することができる。
【００１８】
すなわち、光ディスク記録装置のピックアップ等における固有の特性は、型式記憶手段に格納された他の複数の製造元及び型式のＤＶＤ−Ｒに対応し、製造元が推奨する記録条件を規定するストラテジパラメータ（＝ＤＶＤ−Ｒが装着された場合に、取得されるストラテジパラメータ）と、パラメータ記憶手段に格納された各ストラテジパラメータ（＝テストライト等の方法によって予め探索して設定されたストラテジパラメータ）との関係として表されるため、両者に基づいて１のＤＶＤ−Ｒに対応するストラテジパラメータが補正されるので、更に適正な記録条件を設定することができるのである。
【００１９】
加えて、光ディスクがＤＶＤ−Ｒであって、ストラテジパラメータが光ピックアップのレーザ光のパワーを含み、取得されたレーザ光のパワーに予め設定された所定のオフセット値を加算することにより補正されるため、適正な光ピックアップのレーザ光のパワーを設定することができる。
【００２０】
すなわち、光ディスク記録装置のピックアップにおいてＤＶＤ−Ｒに対するレーザ光のパワーに関する固有の特性は、製造元が推奨するレーザ光のパワーを規定するストラテジパラメータと、パラメータ記憶手段に格納されたレーザ光のパワーを規定するストラテジパラメータとの関係として表され、且つ、両者の関係は経験的に所定のオフセット値として表現されるため、取得されたレーザ光のパワーに予め設定された所定のオフセット値を加算することにより補正されるので、適正な光ピックアップのレーザ光のパワーを設定することができるのである。
【００２１】
また、ストラテジパラメータが記録信号の非対称性を示すβ値を含み、取得されたβ値に予め設定された所定のオフセット値を加算することにより補正されるため、適正なβ値を設定することができる。
【００２２】
すなわち、光ディスク記録装置においてＤＶＤ−Ｒに対する記録信号の非対称性を示すβ値に関する固有の特性は、製造元が推奨するβ値を規定するストラテジパラメータと、パラメータ記憶手段に格納されたβ値を規定するストラテジパラメータとの関係として表され、且つ、両者の関係は経験的に所定のオフセット値として表現されるため、取得されたβ値に予め設定された所定のオフセット値を加算することにより補正されるので、適正なβ値を設定することができるのである。
【００２３】
請求項２に記載の光ディスク記録装置によれば、１の光ディスクに格納された製造元及び光ディスクの型式を識別する情報である型式識別情報が読み取られて取得される。また、型式記憶手段に、予め他の複数の製造元及び型式の光ディスクに対応する型式識別情報が格納されており、取得された型式識別情報が、型式記憶手段に格納された他の複数の製造元及び型式の光ディスクに対応する型式識別情報のいずれかと一致するか否かが判定される。そして、一致しないと判定された場合に、１の光ディスクに格納され、製造元が推奨する記録条件を規定するストラテジパラメータが読み取られて取得され、取得されたストラテジパラメータが補正され、補正されたストラテジパラメータに基づいて１の光ディスクの記録条件が設定されるため、短時間で適正な記録条件を設定することができる。
【００２４】
すなわち、製造元が推奨する記録条件を規定するストラテジパラメータが補正され、補正されたストラテジパラメータに基づいて記録条件が設定されるため、テストエリアへのテストデータを記録することなく記録条件が設定されると共に、製造元が推奨するストラテジパラメータが適正な値に補正されて設定されるので、短時間で適正な記録条件を設定することができるのである。
【００２５】
請求項３に記載の光ディスク記録装置によれば、型式記憶手段に格納された他の複数の製造元及び型式の光ディスクに対応する型式識別情報毎に、予め設定されたストラテジパラメータが対応付けてパラメータ記憶手段に格納されており、型式記憶手段に格納された他の複数の製造元及び型式の光ディスクに対応する型式識別情報のいずれかと一致すると判定された場合に、一致すると判定された型式識別情報に対応するストラテジパラメータがパラメータ記憶手段から読み出されて、読み出されたストラテジパラメータに基づいて記録条件が設定されるため、更に短時間で適正な記録条件を設定することができる。
【００２６】
すなわち、光ディスク記録装置を製造する時点で使用されることが想定される光ディスク（＝型式記憶手段に格納された他の複数の製造元及び型式の光ディスクに相当する）については、適正な記録条件をテストライト等の方法によって探索して、記録条件を規定するストラテジパラメータを予めパラメータ記憶手段に格納しておくことによって、ストラテジパラメータがパラメータ記憶手段から読み出されて、読み出されたストラテジパラメータに基づいて記録条件が設定されるので、更に短時間で適正な記録条件を設定することができるのである。
【００２７】
請求項４に記載の光ディスク記録装置によれば、型式記憶手段に格納された他の複数の製造元及び型式の光ディスクに対応する各型式識別情報に対応し、パラメータ記憶手段に格納された各ストラテジパラメータと、型式記憶手段に格納された各型式識別情報に対応する他の光ディスクが装着された場合に、取得されるストラテジパラメータと、に基づいて、１の光ディスクに対応するストラテジパラメータが補正されるため、更に適正な記録条件を設定することができる。
【００２８】
すなわち、光ディスク記録装置のピックアップ等における固有の特性は、型式記憶手段に格納された他の複数の製造元及び型式の光ディスクに対応し、製造元が推奨する記録条件を規定するストラテジパラメータ（＝光ディスクが装着された場合に、取得されるストラテジパラメータ）と、パラメータ記憶手段に格納された各ストラテジパラメータ（＝テストライト等の方法によって予め探索して設定されたストラテジパラメータ）との関係として表されるため、両者に基づいて１の光ディスクに対応するストラテジパラメータが補正されるので、更に適正な記録条件を設定することができるのである。
【００２９】
請求項５に記載の光ディスク記録装置によれば、光ディスクがＤＶＤ−Ｒであって、ストラテジパラメータが光ピックアップのレーザ光のパワーを含み、取得されたレーザ光のパワーに予め設定された所定のオフセット値を加算することにより補正されるため、適正な光ピックアップのレーザ光のパワーを設定することができる。
【００３０】
すなわち、光ディスク記録装置のピックアップにおいてＤＶＤ−Ｒに対するレーザ光のパワーに関する固有の特性は、製造元が推奨するレーザ光のパワーを規定するストラテジパラメータと、パラメータ記憶手段に格納されたレーザ光のパワーを規定するストラテジパラメータとの関係として表され、且つ、両者の関係は経験的に所定のオフセット値として表現されるため、取得されたレーザ光のパワーに予め設定された所定のオフセット値を加算することにより補正されるので、適正な光ピックアップのレーザ光のパワーを設定することができるのである。
【００３１】
請求項６に記載の光ディスク記録装置によれば、ストラテジパラメータが記録信号の非対称性を示すβ値を含み、取得されたβ値に予め設定された所定のオフセット値を加算することにより補正されるため、適正なβ値を設定することができる。
【００３２】
すなわち、光ディスク記録装置においてＤＶＤ−Ｒに対する記録信号の非対称性を示すβ値に関する固有の特性は、製造元が推奨するβ値を規定するストラテジパラメータと、パラメータ記憶手段に格納されたβ値を規定するストラテジパラメータとの関係として表され、且つ、両者の関係は経験的に所定のオフセット値として表現されるため、取得されたβ値に予め設定された所定のオフセット値を加算することにより補正されるので、適正なβ値を設定することができるのである。
【発明を実施するための最良の形態】
【００３３】
以下に本発明の実施形態を、図面を参照しながら説明する。図１は、本発明に係るディスクレコーダの一例を示す構成図である。ディスクレコーダ１００（光ディスク記録装置に相当する）は、本発明に係るピックアップ装置１、出力装置３、制御装置４、駆動装置５、表示部６、操作部７、及び、インターフェイス部８を備えている。
【００３４】
ピックアップ装置１（ピックアップに相当し、また、識別情報取得手段の一部、及び、パラメータ取得手段の一部に相当する）は、ＣＤ用ＬＤ（Ｌａｓｅｒ  Ｄｉｏｄｅ）及びＤＶＤ用ＬＤを備え、光ディスク２（ここでは、ＤＶＤ−Ｒ）に対して予め設定された記録条件に従ってレーザ光を照射し、光ディスク２（ここでは、ＤＶＤ−Ｒ）に音声情報、画像情報等の各種情報の書き込み（＝記録）を行うものである。また、ピックアップ装置１は、再生する対象の光ディスク２（ここでは、ＤＶＤ−Ｒ）からの反射光を電気信号に変換し、光ディスク２（ＣＤ、又は、ＤＶＤ）に格納された音声情報、画像情報等の各種情報（ここでは、記録条件を規定するストラテジ情報）の読み取りを行うものである。
【００３５】
また、ピックアップ装置１は、送りモータ５１によって、光ディスク２の径方向、及び、垂直方向（近接、離間方向）に移動可能に構成されている。更に、ピックアップ装置１は、ＤＳＰ３２からの指示に従って送りモータ５１を介して光ディスク２の垂直方向に移動されるものである。
【００３６】
出力装置３は、ピックアップ装置１からの音声情報、画像情報等の情報を、音声及び画像に変換して、それぞれ、テレビ受信機２００に配設されたスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。ＲＦアンプ３１は、ピックアップ装置１からの音声情報、画像情報等に対応する信号を増幅するものでる。
【００３７】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、テレビ受信機２００に配設されたスピーカ及びモニタに出力するためにＤＡ変換処理等を行うものである。また、ＤＳＰ３２は、システムコントローラ４１及びインターフェイス部８を介して各種情報処理（例えば画像処理等）をテレビ受信機２００から取得し、ドライバ４２及びピックアップ装置１を介して、光ディスク２に書き込むものである。
【００３８】
制御装置４は、操作部７を介して受け付けた指示操作に基づいて、ピックアップ装置１及び駆動装置５の動作を制御するものであって、システムコントローラ４１、及びドライバ４２を備えている。システムコントローラ４１は、操作部７からの情報を受け付けてＤＳＰ３２に伝送すると共に、ＤＳＰ３２からの情報を表示部６に伝送するものである。ドライバ４２（記録条件設定手段の一部に相当する）は、ＤＳＰ３２からの指示に基づいて、ピックアップ装置１及び駆動装置５の動作を制御するものである。
【００３９】
駆動装置５は、送りモータ５１及びスピンドルモータ５２を備える。送りモータ５１は、ドライバ４２からの指示に基づいてピックアップ装置１を光ディスク２の径方向及び垂直方向に移動させるものである。スピンドルモータ５２は、ドライバ４２からの指示に基づいて光ディスク２を回転駆動するものである。
【００４０】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。インターフェイス部８は、テレビ受信機２００と通信可能に接続され、ＤＳＰ３２（システムコントローラ４１）からの指示に従ってテレビ受信機２００から各種情報処理（例えば画像処理等）を取得するものである。
【００４１】
図２は、本発明に係るディスクレコーダ１００における主要部の構成の一例を示す機能構成図である。ＤＳＰ３２は、ＲＡＭ（Ｒａｎｄｏｍ  Ａｃｃｅｓｓ  Ｍｅｍｏｒｙ）、ＭＰＵ（Ｍｉｃｒｏ  Ｐｒｏｃｅｓｓｉｎｇ  Ｕｎｉｔ）、及び、ＲＯＭ（Ｒｅａｄ  Ｏｎｌｙ  Ｍｅｍｏｒｙ：図示省略）を備えている。ＭＰＵは、機能的に、識別情報取得部３２１、型式判定部３２２、パラメータ取得部３２３、パラメータ補正部３２４、及び、記録条件設定部３２５を備え、ＲＡＭは、機能的に、型式記憶部３２６、及び、パラメータ記憶部３２７を備えている。
【００４２】
ここでは、ＭＰＵが、図略のＲＯＭ等に予め格納された制御プログラムを読み出して実行することにより、識別情報取得部３２１、型式判定部３２２、パラメータ取得部３２３、パラメータ補正部３２４、記録条件設定部３２５等の機能部として機能すると共に、ＲＡＭを、型式記憶部３２６、パラメータ記憶部３２７等の機能部として機能させるものである。
【００４３】
また、ＲＡＭ又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４４】
型式記憶部３２６（型式記憶手段に相当する）は、予め複数の製造元及び型式のＤＶＤ−Ｒに対応する型式識別情報を格納するものである。すなわち、予め他の複数のＤＶＤ−Ｒの内周側に設定されたＰＦＩ領域に格納された、該ＤＶＤ−Ｒの製造元及び型式を識別する情報であるＭＩＤ（Ｍａｎｕｆａｃｔｕｒｅ  ＩＤｅｎｔｉｆｉｅｒ）を格納するものである。つまり、ディスクレコーダ１００を製造する時点で使用されることが想定される複数の製造元及び型式のＤＶＤ−ＲのＭＩＤを予め読み取っておき、型式記憶部３２６に格納するものである。
【００４５】
パラメータ記憶部３２７（パラメータ記憶手段に相当する）は、型式記憶部３２６に格納された複数の製造元及び型式のＤＶＤ−Ｒに対応する型式識別情報毎に、予め設定され、記録条件を規定するストラテジパラメータを対応付けて格納するものである。具体的には、ストラテジパラメータとして、パワーＰｗ、β値、パルス幅３Ｔｔｏｐ、パルス幅４Ｔｔｏｐ、パルス幅５Ｔｔｏｐ、パルス幅６Ｔｔｏｐ、パルス幅Ｔｍｐ、シフト時間３−３Ｔｌｄを格納するものである。
【００４６】
ここで、パワーＰｗは、ピックアップ装置１における記録時のレーザ光のパワーであり、β値は、記録信号の非対称性を示すものであって、次の（１）式で求められるものである。
β＝（（Ｉ14H＋Ｉ14L）−（Ｉ3H＋Ｉ3L））／（２×（Ｉ14H−Ｉ14L））      （１）
なお、Ｉ14H及びＩ14Lは、それぞれ「１４Ｔ」という規格に相当するＲＦ信号のハイレベル及びローレベルであり、Ｉ3H及びＩ3Lはそれぞれ「３Ｔ」という規格に相当するＲＦ信号のハイレベル及びローレベルである。
【００４７】
また、パルス幅３Ｔｔｏｐ、４Ｔｔｏｐ、５Ｔｔｏｐ、６Ｔｔｏｐは、それぞれ「３Ｔ」、「４Ｔ」、「５Ｔ」、「６Ｔ〜１４Ｔ」という規格に相当する信号の先頭パルスのパルス幅である。パルス幅Ｔｍｐは、「４Ｔ〜１４Ｔ」という規格に相当する信号の後続パルス（＝マルチパルス）のパルス幅である。シフト時間３−３Ｔｌｄは、「３Ｔ」という規格に相当する信号の先頭パルスのシフト時間である。
【００４８】
図３は、パラメータ記憶部３２７に格納されるストラテジパラメータの一例を説明するための説明図である。（ａ）は、スペースとマークとからなる記録データであって、（ｂ）は記録信号（＝記録パルス）である。（ａ）に示すように、ここでは、３Ｔのスペース、８Ｔのマーク、３Ｔのスペース、３Ｔのマークがこの順で記録される場合について説明する。（ｂ）に示すように、パワーＰｗは、各パルスのゼロレベルを基準とするパワー値である。なお、記録パルスでは、最低レベルとしてパワーＰｂに対応するパワーが出力される。
【００４９】
３Ｔのマークは、パルス幅Ｔｔｏｐ（＝３Ｔｔｏｐ）のパルス幅を有する先頭パルスのみで構成されている。また、８Ｔのマークは、パルス幅Ｔｔｏｐ（＝８Ｔｔｏｐ）のパルス幅を有する先頭パルスと、パルス幅Ｔｍｐのパルス幅を有する５個の後続パルスとから構成されている。同様にして、４Ｔ〜１４Ｔのマークは、それぞれ、パルス幅Ｔｔｏｐ（＝４Ｔｔｏｐ〜１４Ｔｔｏｐ）のパルス幅を有する先頭パルスと、パルス幅Ｔｍｐのパルス幅を有する１〜１１個の後続パルスとから構成されている。また、シフト時間Ｔｌｄは、パルス幅Ｔｔｏｐの先頭パルスのシフト時間（正の場合には、位相を進める時間であって、負の場合には、位相を遅らせる遅延時間）である。
【００５０】
再び、図２を用いてＤＳＰ３２の機能構成を説明する。識別情報取得部３２１（識別情報取得手段の一部に相当する）は、ピックアップ装置１を介して、光ディスク（ここでは、ＤＶＤ−Ｒ）２に格納された製造元及びＤＶＤ−Ｒの型式を識別する情報である型式識別情報を読み取って取得するものである。
【００５１】
型式判定部３２２（型式判定手段に相当する）は、識別情報取得部３２１によって取得された型式識別情報が、型式記憶部３２６に格納された複数の製造元及び型式のＤＶＤ−Ｒに対応する型式識別情報のいずれかと一致するか否かを判定するものである。すなわち、型式判定部３２２は、予めパラメータ記憶部３２７にストラテジパラメータが格納された製造元及び型式のＤＶＤ−Ｒであるか否かを、型式識別情報に基づいて判定するものである。
【００５２】
パラメータ取得部３２３（パラメータ取得手段の一部に相当する）は、型式判定部３２２によって、識別情報取得部３２１により取得された型式識別情報が、型式記憶部３２６に格納された複数の製造元及び型式のＤＶＤ−Ｒに対応する型式識別情報のいずれとも一致しない（＝識別情報取得部３２１により取得された型式識別情報は、型式記憶部３２６に格納されていない）と判定された場合に、ピックアップ装置１を介して、光ディスク（ここでは、ＤＶＤ−Ｒ）２に格納され、製造元が推奨するストラテジパラメータを読み取って取得するものである。
【００５３】
図４は、光ディスク（ここでは、ＤＶＤ−Ｒ）２に格納されたストラテジパラメータの一例を示す図表である。（ａ）は、光ディスク（ここでは、ＤＶＤ−Ｒ）２の内周側のＬＰＰ（Ｌａｎｄ  Ｐｒｅ  Ｐｉｔ）に格納されたストラテジパラメータの一例を示す図表であり、（ｂ）が、（ａ）に示すストラテジパラメータのフレーム番号毎の記載内容を示す図表であり、（ｃ）は、（ａ）に格納されたストラテジパラメータの内容を示す図表である。
【００５４】
例えば、（ａ）に示すように、フィールドＩＤが「６」のフレーム番号が「７」の領域は、β値が「０８」と格納されており、これは、（ｂ）に示すように、「０．０２」を意味している。また、例えば、（ａ）に示すように、フィールドＩＤが「６」のフレーム番号が「８」の領域は、パワーＰｗが「０Ｆ」と格納されており、これは、（ｂ）に示すように、「１３ｍＷ」を意味している。
【００５５】
更に、例えば、（ａ）に示すように、フィールドＩＤが「６」のフレーム番号が「９」の領域は、パルス幅Ｔｔｏｐが「１１」と格納されており、これは、（ｂ）に示すように、「１．５Ｔ」を意味している。ここで、Ｔは、規格で設定された単位時間である。なお、上述のパルス幅３Ｔｔｏｐ〜１４Ｔｔｏｐは、次の（２）式で求められる。
ｎＴｔｏｐ＝Ｔｔｏｐ＋ｎＴｄｔｐ      （２）
ここで、ｎ：３〜１４であり、
３Ｔｄｔｐ〜１４Ｔｄｔｐは、（ｂ）に示すように、フィールドＩＤが「６」のフレーム番号が「１０」、「１１」の領域に格納されており、ここでは、例えば、４Ｔｄｔｐは、「−０．０５Ｔ」であり、上記（２）式により、４Ｔｔｏｐは１．４５Ｔ（＝１．５０Ｔ−０．０５Ｔ）を意味している。
【００５６】
また、例えば、（ａ）に示すように、フィールドＩＤが「６」のフレーム番号が「１２」の領域の１桁目は、パルス幅Ｔｍｐが「８」と格納されており、これは、（ｂ）に示すように、「０．６５Ｔ」を意味している。このようにして、（ｃ）に示すように、光ディスク（ここでは、ＤＶＤ−Ｒ）２の内周側のＬＰＰ（Ｌａｎｄ  Ｐｒｅ  Ｐｉｔ）に格納されたストラテジパラメータが求められる。なお、ここでは、ＬＰＰ（Ｌａｎｄ  Ｐｒｅ  Ｐｉｔ）に格納されたストラテジパラメータは、以下の説明においては、「ＬＰＰ＿」を付与した記号として記載する。例えば、ＬＰＰ（Ｌａｎｄ  Ｐｒｅ  Ｐｉｔ）に格納されたストラテジパラメータの内、パワーＰｗ、β値は、それぞれ、ＬＰＰ＿Ｐｗ、ＬＰＰ＿βと記載する。
【００５７】
再び、図２を用いてＤＳＰ３２の機能構成を説明する。パラメータ補正部３２４（パラメータ補正手段に相当する）は、型式記憶部３２６に格納された他の複数の製造元及び型式のＤＶＤ−Ｒに対応する各型式識別情報に対応し、パラメータ記憶部３２７に格納された各ストラテジパラメータと、型式記憶部３２６に格納された各型式識別情報に対応する他のＤＶＤ−Ｒが装着された場合に、パラメータ取得部３２３によって取得されるストラテジパラメータと、に基づいて、パラメータ取得部３２３によって取得されたＤＶＤ−Ｒに対応するストラテジパラメータを補正するものである。
【００５８】
すなわち、ディスクレコーダ１００のピックアップ装置１等における固有の特性は、型式記憶部３２６に格納された複数の製造元及び型式のＤＶＤ−Ｒに対応し、製造元が推奨する記録条件を規定するストラテジパラメータ（＝ＤＶＤ−Ｒが装着された場合に、取得されるストラテジパラメータ）と、パラメータ記憶部３２７に格納された各ストラテジパラメータ（＝テストライト等の方法によって予め探索して設定されたストラテジパラメータ）との関係として表されるため、パラメータ補正部３２４は、両者に基づいてパラメータ取得部３２３によって取得されたＤＶＤ−Ｒに対応するストラテジパラメータを補正するものである。
【００５９】
図５は、パラメータ補正部３２４によるストラテジパラメータの補正方法の一例を示すグラフである。（ａ）は、ストラテジパラメータの内、β値の補正方法を示すグラフであり、（ｂ）は、ストラテジパラメータの内、パワーＰｗの補正方法を示すグラフである。（ａ）の横軸は、製造元が推奨するβ値であるＬＰＰ＿βであり、縦軸は、パラメータ記憶部３２７に格納されたβ値（＝記録条件として設定されるβ値）である。図中のプロットは、型式記憶部３２６に格納された複数の製造元及び型式のＤＶＤ−Ｒに対応するものであって、直線は、これらのプロットの回帰直線である。この直線は、次の（３）式で表される。
β＝０．７４９×ＬＰＰ＿β＋０．０４３      （３）
【００６０】
従って、ここでは、パラメータ補正部３２４は、製造元が推奨するβ値であるＬＰＰ＿βに対して、所定のオフセット値（例えば、０．０４０）を加算することにより補正するものである。
【００６１】
また、（ｂ）の横軸は、パラメータ記憶部３２７に格納されたβ値（＝記録条件として設定されるβ値）であり、縦軸は、パラメータ記憶部３２７に格納されたパワーＰｗ（＝記録条件として設定されるパワーＰｗ）である。図に示すように、β値は、パワーＰｗに対して上に凸の曲線となり、上述のように、パラメータ補正部３２４は、ＬＰＰ＿βに対して、所定のオフセット値（例えば、０．０４０）を加算することによりβ値を補正するため、このβ値の補正に対応して、パラメータ補正部３２４は、製造元が推奨するパワーＬＰＰ＿Ｐｗに対して、所定のオフセット値（例えば、４．０ｍＷ）を加算することによりパワーＰｗを補正するものである。
【００６２】
再び、図２を用いてＤＳＰ３２の機能構成を説明する。記録条件設定部３２５（記録条件設定手段の一部に相当する）は、型式判定部３２２によって、識別情報取得部３２１により取得された型式識別情報が、型式記憶部３２６に格納された複数の製造元及び型式のＤＶＤ−Ｒに対応する型式識別情報のいずれとも一致しない（＝識別情報取得部３２１により取得された型式識別情報は、型式記憶部３２６に格納されていない）と判定された場合に、パラメータ補正部３２４によって補正されたストラテジパラメータに基づいて、ドライバ４２を介してＤＶＤ−Ｒの記録条件を設定するものである。
【００６３】
また、記録条件設定部３２５は、型式判定部３２２によって、識別情報取得部３２１により取得された型式識別情報が、型式記憶部３２６に格納された複数の製造元及び型式のＤＶＤ−Ｒに対応する型式識別情報のいずれかと一致する（＝識別情報取得部３２１により取得された型式識別情報が、型式記憶部３２６に格納されている）と判定された場合に、一致すると判定された型式識別情報に対応するストラテジパラメータをパラメータ記憶部３２７から読み出して、読み出されたストラテジパラメータに基づいて記録条件を設定するものである。
【００６４】
図６は、本発明に係るディスクレコーダ１００（主にＤＳＰ３２）の動作の一例を示すフローチャートである。なお、ここでは、便宜上、型式判定部３２２によって、識別情報取得部３２１により取得された型式識別情報が、型式記憶部３２６に格納された複数の製造元及び型式のＤＶＤ−Ｒに対応する型式識別情報のいずれとも一致しない（＝識別情報取得部３２１により取得された型式識別情報は、型式記憶部３２６に格納されていない）と判定された場合について説明する。
【００６５】
まず、パラメータ取得部３２３によって、光ディスク（ここでは、ＤＶＤ−Ｒ）２に格納され、製造元が推奨するストラテジパラメータが取得される（Ｓ１０１）。そして、パラメータ補正部３２４によって、ステップＳ１０１において取得されたパラメータＬＰＰ＿Ｐｗに対して、オフセット値（ここでは、４．０ｍＷ）を加算することにより補正されてパワーＰｗが求められる（Ｓ１０３）。そして、パラメータ補正部３２４によって、ステップＳ１０１において取得されたパラメータＬＰＰ＿βに対して、オフセット値（ここでは、０．０４０）を加算することにより補正されてβ値が求められる（Ｓ１０５）。
【００６６】
そして、パラメータ補正部３２４によって、ステップＳ１０１において取得されたＬＰＰ＿Ｔｍｐが所定の閾値（ここでは、０．６９０）以上であるか否かの判定が行われる（Ｓ１０７）。ＬＰＰ＿Ｔｍｐが０．６９０以上ではない（＝ＬＰＰ＿Ｔｍｐが０．６９０未満である）と判定された場合（Ｓ１０７でＮＯ）には、パラメータ補正部３２４によって、ステップＳ１０１において取得されたパラメータＬＰＰ＿３Ｔｔｏｐに対して、オフセット値（ここでは、０．０２０）を加算することにより補正されてパルス幅３Ｔｔｏｐが求められ（Ｓ１１５）、処理がステップＳ１１７に進められる。ＬＰＰ＿Ｔｍｐが０．６９０以上であると判定された場合（Ｓ１０７でＹＥＳ）には、パラメータ補正部３２４によって、ステップＳ１０１において取得されたＬＰＰ＿３Ｔｔｏｐが所定の閾値（ここでは、１．７２０）以上であるか否かの判定が行われる（Ｓ１０９）。
【００６７】
ＬＰＰ＿３Ｔｔｏｐが１．７２０以上であると判定された場合（Ｓ１０９でＹＥＳ）には、パラメータ補正部３２４によって、ステップＳ１０１において取得されたパラメータＬＰＰ＿３Ｔｔｏｐに対して補正されずにパルス幅３Ｔｔｏｐが設定され（Ｓ１１１）、処理がステップＳ１１７に進められる。ＬＰＰ＿３Ｔｔｏｐが１．７２０以上ではない（１．７２０未満である）と判定された場合（Ｓ１０９でＮＯ）には、パラメータ補正部３２４によって、ステップＳ１０１において取得されたパラメータＬＰＰ＿３Ｔｔｏｐに対して、オフセット値（ここでは、０．０５０）が加算されることにより補正されてパルス幅３Ｔｔｏｐが求められ（Ｓ１１３）、処理がステップＳ１１７に進められる。
【００６８】
ステップＳ１１１、ステップＳ１１３、又は、ステップＳ１１５の処理が終了した場合には、パラメータ補正部３２４によって、ステップＳ１０１において取得されたパラメータＬＰＰ＿３ＴｔｏｐがパラメータＬＰＰ＿４Ｔｔｏｐより大きいか否かの判定が行われる（Ｓ１１７）。パラメータＬＰＰ＿３ＴｔｏｐがパラメータＬＰＰ＿４Ｔｔｏｐより大きいと判定された場合（Ｓ１１７でＹＥＳ）には、パラメータ補正部３２４によって、ステップＳ１０１において取得されたパラメータＬＰＰ＿４Ｔｔｏｐに対して、オフセット値（ここでは、０．０２５）が加算されることにより補正されてパルス幅４Ｔｔｏｐが求められ（Ｓ１１９）、処理がステップＳ１２３に進められる。パラメータＬＰＰ＿３ＴｔｏｐがパラメータＬＰＰ＿４Ｔｔｏｐ以下であると判定された場合（Ｓ１１７でＮＯ）には、パラメータ補正部３２４によって、ステップＳ１０１において取得されたパラメータＬＰＰ＿４Ｔｔｏｐに対して、オフセット値（ここでは、−０．０２５）が加算されることにより補正されてパルス幅４Ｔｔｏｐが求められ（Ｓ１２１）、処理がステップＳ１２３に進められる。
【００６９】
ステップＳ１１９、又は、ステップＳ１２１の処理が終了した場合には、パラメータ補正部３２４によって、ステップＳ１０１において取得されたパラメータＬＰＰ＿５Ｔｔｏｐが補正されずにパルス幅５Ｔｔｏｐが設定される（Ｓ１２３）。そして、パラメータ補正部３２４によって、ステップＳ１０１において取得されたパラメータＬＰＰ＿３ＴｔｏｐがステップＳ１０１において取得されたパラメータＬＰＰ＿６Ｔｔｏｐ以上であるか否かの判定が行われる（Ｓ１２５）。パラメータＬＰＰ＿３ＴｔｏｐがパラメータＬＰＰ＿６Ｔｔｏｐ以上であると判定された場合（Ｓ１２５でＹＥＳ）には、パラメータ補正部３２４によって、ステップＳ１０１において取得されたパラメータＬＰＰ＿６Ｔｔｏｐに対して、オフセット値（ここでは、０．０５０）が加算されることにより補正されてパルス幅６Ｔｔｏｐが求められ（Ｓ１２７）、処理がステップＳ１３１に進められる。パラメータＬＰＰ＿３ＴｔｏｐがパラメータＬＰＰ＿６Ｔｔｏｐ未満であると判定された場合（Ｓ１２５でＮＯ）には、パラメータ補正部３２４によって、ステップＳ１０１において取得されたパラメータＬＰＰ＿６Ｔｔｏｐに対して、オフセット値（ここでは、０．０２０）が加算されることにより補正されてパルス幅６Ｔｔｏｐが求められ（Ｓ１２９）、処理がステップＳ１３１に進められる。
【００７０】
ステップＳ１２７、又は、ステップＳ１２９の処理が終了した場合には、パラメータ補正部３２４によって、ステップＳ１０１において取得されたパラメータＬＰＰ＿Ｔｍｐが所定の閾値（ここでは、０．６９０）以上であるか否かの判定が行われる（Ｓ１３１）。パラメータＬＰＰ＿Ｔｍｐが０．６９０以上であると判定された場合（Ｓ１３１でＹＥＳ）には、パラメータ補正部３２４によって、ステップＳ１０１において取得されたパラメータＬＰＰ＿Ｔｍｐに対して、オフセット値（ここでは、０．０５０）が加算されることにより補正されてパルス幅Ｔｍｐが求められ（Ｓ１３３）、処理がステップＳ１３７に進められる。パラメータＬＰＰ＿Ｔｍｐが０．６９０未満であると判定された場合（Ｓ１３１でＮＯ）には、パラメータ補正部３２４によって、パラメータ補正部３２４によって、ステップＳ１０１において取得されたパラメータＬＰＰ＿Ｔｍｐに対して、オフセット値（ここでは、０．１００）が加算されることにより補正されてパルス幅Ｔｍｐが求められ（Ｓ１３５）、処理がステップＳ１３７に進められる。
【００７１】
ステップＳ１３３、又は、ステップＳ１３５の処理が終了した場合には、パラメータ補正部３２４によって、シフト時間３−Ｔｌｄが所定値（ここでは、−０．０５０）に設定される（Ｓ１３７）。そして、記録条件設定部３２５によって、ドライバ４２を介してＤＶＤ−ＲのステップＳ１０３〜ステップＳ１３７において設定されたパラメータに基づいて記録条件が設定され（Ｓ１３９）、処理が終了される。
【００７２】
このようにして、１の光ディスク（ここでは、ＤＶＤ−Ｒ）２に格納された製造元及びＤＶＤ−Ｒの型式を識別する情報である型式識別情報が読み取られて取得される。また、型式記憶部３２６に、予め他の複数の製造元及び型式のＤＶＤ−Ｒに対応する型式識別情報が格納されており、取得された型式識別情報が、型式記憶部３２６に格納された他の複数の製造元及び型式のＤＶＤ−Ｒに対応する型式識別情報のいずれかと一致するか否かが判定される。そして、一致しないと判定された場合に、１のＤＶＤ−Ｒに格納され、製造元が推奨する記録条件を規定するストラテジパラメータが読み取られて取得され、取得されたストラテジパラメータが補正され、補正されたストラテジパラメータに基づいて１のＤＶＤ−Ｒの記録条件が設定されるため、短時間で適正な記録条件を設定することができる。
【００７３】
すなわち、製造元が推奨する記録条件を規定するストラテジパラメータが補正され、補正されたストラテジパラメータに基づいて記録条件が設定されるため、テストエリアへのテストデータを記録することなく記録条件が設定されると共に、製造元が推奨するストラテジパラメータが適正な値に補正されて設定されるので、短時間で適正な記録条件を設定することができるのである。
【００７４】
また、型式記憶部３２６に格納された他の複数の製造元及び型式のＤＶＤ−Ｒに対応する型式識別情報毎に、予め設定されたストラテジパラメータが対応付けてパラメータ記憶部３２７に格納されており、型式記憶部３２６に格納された他の複数の製造元及び型式のＤＶＤ−Ｒに対応する型式識別情報のいずれかと一致すると判定された場合に、一致すると判定された型式識別情報に対応するストラテジパラメータがパラメータ記憶部３２７から読み出されて、読み出されたストラテジパラメータに基づいて記録条件が設定されるため、更に短時間で適正な記録条件を設定することができる。
【００７５】
すなわち、ディスクレコーダ１００を製造する時点で使用されることが想定されるＤＶＤ−Ｒ（＝型式記憶部３２６に格納された他の複数の製造元及び型式のＤＶＤ−Ｒに相当する）については、適正な記録条件をテストライト等の方法によって探索して、記録条件を規定するストラテジパラメータを予めパラメータ記憶部３２７に格納しておくことによって、ストラテジパラメータがパラメータ記憶部３２７から読み出されて、読み出されたストラテジパラメータに基づいて記録条件が設定されるので、更に短時間で適正な記録条件を設定することができるのである。
【００７６】
更に、型式記憶部３２６に格納された他の複数の製造元及び型式のＤＶＤ−Ｒに対応する各型式識別情報に対応し、パラメータ記憶部３２７に格納された各ストラテジパラメータと、型式記憶部３２６に格納された各型式識別情報に対応する他のＤＶＤ−Ｒが装着された場合に、取得されるストラテジパラメータと、に基づいて、１のＤＶＤ−Ｒに対応するストラテジパラメータが補正されるため、更に適正な記録条件を設定することができる。
【００７７】
すなわち、ディスクレコーダ１００のピックアップ装置１等における固有の特性は、型式記憶部３２６に格納された他の複数の製造元及び型式のＤＶＤ−Ｒに対応し、製造元が推奨する記録条件を規定するストラテジパラメータ（＝ＤＶＤ−Ｒが装着された場合に、取得されるストラテジパラメータ）と、パラメータ記憶部３２７に格納された各ストラテジパラメータ（＝テストライト等の方法によって予め探索して設定されたストラテジパラメータ）との関係として表されるため、両者に基づいて１のＤＶＤ−Ｒに対応するストラテジパラメータが補正されるので、更に適正な記録条件を設定することができるのである。
【００７８】
加えて、光ディスクがＤＶＤ−Ｒであって、ストラテジパラメータが光ピックアップのレーザ光のパワーを含み、取得されたレーザ光のパワーに予め設定された所定のオフセット値（ここでは、４．０ｍＷ）を加算することにより補正されるため、適正な光ピックアップのレーザ光のパワーを設定することができる。
【００７９】
すなわち、ディスクレコーダ１００のピックアップ装置１においてＤＶＤ−Ｒに対するレーザ光のパワーに関する固有の特性は、製造元が推奨するレーザ光のパワーを規定するストラテジパラメータ（ＬＰＰ＿Ｐｗ）と、パラメータ記憶部３２７に格納されたレーザ光のパワーを規定するストラテジパラメータとの関係として表され、且つ、両者の関係は経験的に所定のオフセット値として表現される（図５参照）ため、取得されたレーザ光のパワーに予め設定された所定のオフセット値を加算することにより補正されるので、適正な光ピックアップのレーザ光のパワーを設定することができるのである。
【００８０】
また、ストラテジパラメータが記録信号の非対称性を示すβ値を含み、取得されたβ値に予め設定された所定のオフセット値（ここでは、０．０４０）を加算することにより補正されるため、適正なβ値を設定することができる。
【００８１】
すなわち、ディスクレコーダ１００においてＤＶＤ−Ｒに対する記録信号の非対称性を示すβ値に関する固有の特性は、製造元が推奨するβ値を規定するストラテジパラメータ（ＬＰＰ＿β）と、パラメータ記憶部３２７に格納されたβ値を規定するストラテジパラメータとの関係として表され、且つ、両者の関係は経験的に所定のオフセット値として表現される（図５参照）ため、取得されたβ値に予め設定された所定のオフセット値を加算することにより補正されるので、適正なβ値を設定することができるのである。
【００８２】
なお、本発明は、以下の形態にも適用可能である。
（Ａ）本実施形態では、ＤＳＰ３２が、識別情報取得部３２１、型式判定部３２２、パラメータ取得部３２３、パラメータ補正部３２４、記録条件設定部３２５等の機能部として機能する場合について説明したが、少なくとも１の機能部が回路によって実現されている形態でもよい。
【００８３】
（Ｂ）本実施形態では、光ディスクがＤＶＤ−Ｒである場合について説明したが、その他の種類の書き込み可能なＤＶＤ（例えば、ＤＶＤ−ＲＷ等）である形態でもよいし、他の種類の光ディスク（例えば、ＣＤ−ＲＷ等）である形態でもよい。
【００８４】
（Ｃ）本実施形態では、光ディスク装置が、ディスクレコーダ１００である場合について説明したが、光ディスク装置が、光ディスクに光ピックアップからのレーザ光を照射して情報を記録する他の種類の装置（例えば、パーソナルコンピュータ等に配設されたＣＤレコーダ等）である形態でもよい。
【００８５】
（Ｄ）本実施形態では、パラメータ補正部３２４が、製造元が推奨するβ値であるＬＰＰ＿βに対して、所定のオフセット値（例えば、０．０４０）を加算することにより補正する場合について説明したが、パラメータ補正部３２４が、その他の方法で補正する形態でもよい。例えば、パラメータ補正部３２４が、上述の（３）式を用いて補正する形態でもよい。
【００８６】
（Ｅ）本実施形態では、パラメータ補正部３２４は、製造元が推奨するパワーＬＰＰ＿Ｐｗに対して、所定のオフセット値（例えば、４．０ｍＷ）を加算することによりパワーＰｗを補正するに場合について説明したが、パラメータ補正部３２４が、その他の方法で補正する形態でもよい。例えば、パラメータ補正部３２４が、上述の（３）式と同様の式（パワーＬＰＰ＿Ｐｗに関する一次式）を用いて補正する形態でもよい。
【産業上の利用可能性】
【００８７】
本発明の光ディスク記録装置を用いれば、短時間で適正な記録条件を設定することができる。
【図面の簡単な説明】
【００８８】
【図１】は、本発明に係るディスクレコーダの一例を示す構成図である。
【図２】は、本発明に係るディスクレコーダにおける主要部の構成の一例を示す機能構成図である。
【図３】は、パラメータ記憶部に格納されるストラテジパラメータの一例を説明するための説明図である。
【図４】は、光ディスク（ここでは、ＤＶＤ−Ｒ）に格納されたストラテジパラメータの一例を示す図表である。
【図５】は、パラメータ補正部によるストラテジパラメータの補正方法の一例を示すグラフである。
【図６】は、本発明に係るディスクレコーダ（主にＤＳＰ）の動作の一例を示すフローチャートである。
【符号の説明】
【００８９】
１００    ディスクレコーダ（光ディスク記録装置）
１    ピックアップ装置（ピックアップ、識別情報取得手段の一部、及び、パラメータ取得手段の一部）
３    出力装置
３２    ＤＳＰ
３２１    識別情報取得部（識別情報取得手段の一部）
３２２    型式判定部（型式判定手段）
３２３    パラメータ取得部（パラメータ取得手段の一部）
３２４    パラメータ補正部（パラメータ補正手段）
３２５    記録条件設定部（記録条件設定手段の一部）
３２６    型式記憶部（型式記憶手段）
３２７    パラメータ記憶部（パラメータ記憶手段）
４    制御装置
４２    ドライバ（記録条件設定手段の一部）
【図１】
2008181625.tif 000003
【図２】
2008181625.tif 000004
【図３】
2008181625.tif 000005
【図４】
2008181625.tif 000006
【図５】
2008181625.tif 000007
【図６】
2008181625.tif 000008